(57)【要約】【目的】操作者にとって非常に見易い画像をいつ如何なる場合でも表示することができるカメラを提供すること。【構成】被写体を撮影するカメラ部と、撮影画像を出力する複数の画像出力手段と、前記カメラ部の撮影姿勢情報信号を出力する姿勢検出手段と、情報・警告を前記画像出力手段に出力する情報警告表示手段と、前記情報警告表示手段の出力情報を回転、拡大、縮小、平行移動等の変換を行う変換手段とを含んでカメラを構成し、前記姿勢検出手段から出力される撮影姿勢情報信号と、前記画像出力手段の画像出力先に応じて前記変換手段のパラメータを変更する。【選択図】　　　図１
2004088317.tif 000002
【特許請求の範囲】
【請求項１】
被写体を撮影するカメラ部と、撮影画像を出力する複数の画像出力手段と、前記カメラ部の撮影姿勢情報信号を出力する姿勢検出手段と、情報・警告を前記画像出力手段に出力する情報警告表示手段と、前記情報警告表示手段の出力情報を回転、拡大、縮小、平行移動等の変換を行う変換手段とを備え、前記姿勢検出手段から出力される撮影姿勢情報信号と、前記画像出力手段の画像出力先に応じて前記変換手段のパラメータを変更することを特徴とするカメラ。
【請求項２】
複数の前記画像出力手段のうち少なくとも１つが外部ビデオ出力であり、画像出力先が前記外部ビデオ出力に選択されている場合、前記変換手段は回転変換を行わないで前記情報警告表示手段の出力情報を出力することを特徴とする請求項１記載のカメラ。
【請求項３】
複数の前記画像出力手段のうち少なくとも１つが外部ビデオ出力であり、画像出力先が前記外部ビデオ出力に選択されている場合、前記変換手段は前記情報警告表示手段の出力情報に対しては回転変換を行わず、前記カメラ部から得られた撮影画像に対しては前記姿勢検出手段から検出される撮影姿勢情報に応じて回転変換等の前記変換を行った後に前記画像出力することを特徴とする請求項１記載のカメラ。
【請求項４】
複数の前記画像出力手段の出力先が少なくとも１つが前記カメラに備わる本体内画像出力装置であり、画像出力先が前記本体内画像出力装置に選択されている場合、前記情報警告表示手段の出力情報に対しては前記姿勢検出手段から検出される撮影姿勢情報に応じて回転変換等の前記変換を行った後に前記情報警告表示手段の出力情報を出力することを特徴とする請求項１記載のカメラ。
【請求項５】
複数の前記画像出力手段のうち少なくとも１つが前記カメラに備わる本体内画像出力装置であり、画像出力先が前記本体内画像出力装置に選択されている場合は、前記変換手段は前記情報警告表示手段の出力情報に対しては前記姿勢検出手段から検出される撮影姿勢情報に応じて回転変換を行い、前記カメラ部から得られた撮影画像に対しては回転変換等の前記変換を行わずに前記画像出力することを特徴とする請求項１記載のカメラ。
【発明の詳細な説明】
【０００１】
【発明の属する技術分野】
本発明は、撮影画像と撮影情報を表示出力するカメラに関する。
【０００２】
【従来の技術】
従来、デジタルカメラ、ビデオカメラ等の撮像装置において、ＬＣＤ等の表示装置を備えたものがあり、撮影画像を逐次表示装置に映し出すことでファインダ機能を具備する、所謂電子ファインダを備えたものがある。この電子ファインダには撮影する画像を表示する他に、カメラの操作者に対して撮影日時、カメラのシャッタースピード、Ｆナンバー、撮影倍率、マクロ撮影等の撮影条件の情報を表示する他、手振れ警告、電池切れ、メモリ不足等の警告を表示する機能を備えていることが多い。
【０００３】
又、その撮像装置にはビデオ出力端子を備えたものがあり、例えば大型ＣＲＴディスプレイと接続することで、カメラ本体に備えたＬＣＤで表示するよりも精細な画像を映し出し、被写体が合焦しているかどうかより視認することが可能である他、不特定多数の人が同時に撮影している画像を鑑賞することが可能である。外部ビデオ出力する場合においても、同様に撮影日時、カメラのシャッタースピード、Ｆナンバー、撮影倍率、マクロ撮影等の撮影条件の情報を表示する他、手振れ警告、電池切れ、メモリ不足等の警告を同時に表示することができる。これらの撮影条件表示機能及び警告表示機能はカメラを横位置に配置した場合（以後、横姿勢と呼ぶ）において、操作者に対し、自然に認知できるように表示されている。
【０００４】
【発明が解決しようとする課題】
撮影を行う姿勢は横姿勢のみではなく、例えば人物を被写体とする場合はカメラを立てた状態（以後、縦姿勢と呼ぶ）で撮影をすることが良くある。カメラを縦姿勢で撮影する場合、電子ファインダに表示される情報及び警告は横向きの状態のままで出力される（図２）。そのため、操作者から見ると視認しにくい角度で情報・警告表示されるという問題がある。
【０００５】
又、電子ファインダの画像を外部モニタに出力する場合、撮影画像と共に表示される情報・警告は観察者から見て自然な角度で表示されているが、撮影された画像は約９０度回転された画像になって表示される。そのため、観察者は首を傾げて画像を見ることを強いられ、非常に見づらい（図３）という問題があった。このように表示先がカメラ内部に備える表示装置である場合と外部に画像を出力する場合と複数存在する場合、情報・警告の表示角度及び撮影画像角度は撮影する時の撮影姿勢や画像を表示する表示装置出力先を考慮に入れておく必要があった。
【０００６】
本発明は上記事情に鑑みてなされたもので、その目的とする処は、操作者にとって非常に見易い画像をいつ如何なる場合でも表示することができるカメラを提供することにある。
【０００７】
【課題を解決するための手段】
上記目的を達成するため、本発明は、被写体を撮影するカメラ部と、撮影画像を出力する複数の画像出力手段と、前記カメラ部の撮影姿勢情報信号を出力する姿勢検出手段と、情報・警告を前記画像出力手段に出力する情報警告表示手段と、前記情報警告表示手段の出力情報を回転、拡大、縮小、平行移動等の変換を行う変換手段とを含んでカメラを構成し、前記姿勢検出手段から出力される撮影姿勢情報信号と、前記画像出力手段の画像出力先に応じて前記変換手段のパラメータを変更することを特徴とする。
【０００８】
【発明の実施の形態】
以下に本発明の実施の形態を添付図面に基づいて説明する。
【０００９】
図１は本発明の実施の形態に係るカメラの構成を示すブロック図である。
【００１０】
図１において、１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。
【００１１】
２０は信号処理回路であり、画素補間処理部２０ａ、色変換処理部２０ｂ、ホワイトバランス処理部２０ｃ及び変換処理部２０ｄで処理が行われた後、画像表示用メモリ２４に転送される。尚、変換処理部２０ｄでは画像データの拡大、縮小、平行移動や回転の変換処理を行う。システムは変換処理の選択を任意に行うことが可能であり、処理を行わずに出力する場合もある。
【００１２】
画像表示用メモリ２４はカメラ本体に組み込まれている画像表示部２８或は外部に接続したビデオディスプレイ等に表示する画像データを格納するためのメモリである他、記憶装置媒体３０に撮影画像を保存する前にデータを一時的に保存するバッファとしての役割も持つ。画像表示用メモリ２４に保存されている画像データはＤ／Ａ変換器２６を介してアナログ信号に変換され、画像表示部２８或は外部表示装置１１０でＮＴＳＣ及びＰＡＬ形式の映像信号といったビデオ信号に変換され、ビデオディスプレイ３００等に撮影画像を表示させることが可能である。この撮影画像の表示をリアルタイムで行うことにより、電子ビューファインダー機能を実現することが可能である。
【００１３】
２０１は情報・警告表示手段で、操作者に対して撮影可能枚数、メモリ残量、電池残量等の情報及び手振れ警告や電池切れ、メモリ不足やシステムのエラー表示等の警告をＬＣＤ等の画像表示部２８の表示エリア内或はビデオディスプレイ３００に表示する他、不図示のＬＥＤの点滅動作及びブザーを鳴らして警告する手段である。画像表示部２８やビデオディスプレイ３００に表示される情報や警告は情報・警告表示手段２０１で情報警告データを生成し、画像表示用メモリ２４に転送、記憶される。画像表示用メモリ２４に記憶された情報警告データは信号処理回路２０にある変換処理部２０ｄにて変換することが可能である。
【００１４】
この変換は後述するカメラ姿勢に応じて情報警告データを回転、拡大縮小及び平行移動等の変換を行う。変換処理を行った後、情報警告データは再び画像表示用メモリ２４に転送される。システムは情報警告のビデオメモリと撮影された画像データと合成し、Ｄ／Ａ変換を経て画像表示部２８或はビデオディスプレイ３００に表示され、操作者に対し逐一情報を知らせることが可能になっている。
【００１５】
４６はカメラ姿勢検出手段であり、図７にその実施の形態を図示する。重力を検知するスイッチとして絶縁体の筒中に金属球を封入し、一方の端面に接点を設けた傾斜スイッチが用いられている。この傾斜スイッチを光軸に対し垂直に、且つ、重力方向に対して４５度、更に互いに９０度の角度になるように２個配置している。カメラが横姿勢である場合（図７）には傾斜スイッチ２１０と２１１は導通し、カメラが縦姿勢である場合（図８）には傾斜スイッチ２１０が導通するが傾斜スイッチ２１１は切断している。
【００１６】
又、図６ｂとは１８０度回転角度が違う縦位置である場合（図９）は、傾斜スイッチ２１１が切断しているが傾斜スイッチ２１０は導通している。このように傾斜スイッチ２１０と２１１の導通、切断の状態を検知することでカメラ姿勢を検出することが可能であり、撮影時にカメラ姿勢検出手段４６で得られた情報は、システム内にて画像表示や情報・警告表示手段の制御として使われる他、記憶装置媒体３０に保存される撮影画像と対応づけられて記録することも可能である。５０は撮影／再生選択スイッチであり、操作者はカメラを撮影に使用するか、或は撮影した画像を再生するかを選択することができる。
【００１７】
次に、カメラを操作する場合についての説明を図５を用いて行う。
【００１８】
被写体映像は撮影レンズ１０を通してＣＣＤ１４の受光面で結像し、結像された映像はアナログ信号として出力される。出力されたアナログ信号はＡ／Ｄ変換器１６でデジタル信号に変換され、画像表示用メモリ２４に格納される。画像表示用メモリ２４のデータを画素補間処理や色変換処理或はホワイトバランス等の処理をし、視認し易く処理をする。更に、その画像データを逐次Ｄ／Ａ変換器２６でアナログ信号に変換し、ＬＣＤ等の画像表示部２８に撮影画像を表示させることで電子ファインダを実現し、撮影被写体を操作者が随時確認することができる。又、このとき、画像表示部２８にはカメラの電池残量や撮影可能枚数、手振れ警告等の情報が情報・警告表示手段２０１を通じて表示されている。
【００１９】
今、操作者がカメラの電源を投入、撮影を行おうとしている状態（Ｓ００１）であるとする。操作者がシャッターレリーズボタンを押下し、撮影を開始する状態にある場合（Ｓ００２Ｙ）、システムは撮影処理のルーチン（Ｓ０１１）へ移行する。被写体を捕らえ、電子ファインダに映し出している状態にある場合（Ｓ００２Ｎ）、システムはカメラ姿勢検出手段４６によりカメラの姿勢を検出する（Ｓ００３）。操作者がカメラを横に構え、カメラ姿勢の検出結果が横姿勢である場合（Ｓ００４Ｙ）、通常の姿勢であるため、特に特別な処理を行わない（Ｓ０２１）。
【００２０】
又、操作者がカメラを縦に構え、カメラ姿勢検出の結果が縦姿勢であると判断した場合（Ｓ００４Ｎ）、撮影画像出力先を判別し、その結果に基づき処理を行う。撮影画像出力先がカメラ本体に付属するＬＣＤ等の画像表示部である場合、カメラの姿勢とともに画像表示部も姿勢が変わる。このため、警告表示を行う場合、縦姿勢の警告を横姿勢の警告と同じ表示の仕方で行うと、操作者に対して警告表示が見難いことになる（図２）。そのため、警告表示するデータに対して適正な回転変換補正を行い、操作者に分かり易い表示を行う必要がある。
【００２１】
今、カメラの姿勢がカメラ背面、即ちＬＣＤ等の画像表示部が視認できる方向から見て時計回りに９０度立てた状態である場合（Ｓ０３１Ｙ）、システムは画像表示用メモリ２４に保存されている情報警告表示データに対して反時計回りに９０度回転変換処理等の変換処理を行う（Ｓ０４１）。より具体的には、ＬＣＤ部表示部に適切に表示を行うように平行移動或はは拡大、縮小処理を行うこともある。
【００２２】
又、図５の示されるように、カメラの姿勢がカメラ背面、即ちＬＣＤ等の画像表示部が視認できる方向から見て反時計回りに９０度立てた状態である場合には（Ｓ０３１Ｎ）、情報警告表示データに対して時計回りに９０度回転変換等の変換処理を行う（Ｓ０３２）が、変換処理の内容は先に述べた平行移動や拡大縮小処理等である。その後に情報警告表示データと撮影画像を合成（Ｓ０３３）し、内部表示装置に出力される（Ｓ０３４）。
【００２３】
又、撮影画像出力先がカメラ外部に接続したビデオディスプレイ等の外部機器である場合（Ｓ００５Ｙ）、カメラの撮影姿勢を変化させても外部機器の姿勢は変わらない場合が多い。そのため、情報警告の表示は前記の場合と異なり回転変換を行わない方が操作者にとって見易いが、撮影画像は見難いことになる（図３）。今、カメラ姿勢がカメラ背面、即ちＬＣＤ等の画像表示部が視認できる方向から見て時計回りに９０度回転した姿勢であるとする（Ｓ００７Ｙ）。このとき、システムは画像表示用メモリ２４に保存されている撮影画像データに対して時計回り９０度回転変換を行い（Ｓ０５１）、図４に示されるようにカメラ姿勢がカメラ背面、即ちＬＣＤ等の画像表示部が視認できる方向から見て反時計回りに９０度回転した姿勢の場合（Ｓ００７Ｎ）は撮影画像データを反時計回り９０度回転変換を行い（Ｓ００８）、変換された画像データを外部ビデオに出力する（Ｓ０１０）。
【００２４】
【発明の効果】
以上の説明で明らかなように、本発明によれば、カメラの操作者に対してカメラの情報や手振れ警告、電池切れ、メモリ不足等の警告を表示する機能を備えたデジタルカメラ等において、カメラの姿勢を縦姿勢で表示された電子ファインダの情報・警告はカメラの姿勢と、情報・警告情報の出力先に応じて回転処理するか否かを決定するため、操作者にとって非常に見易い画像をいつ如何なる場合でも表示することができるという効果が得られる。
【図面の簡単な説明】
【図１】本発明のカメラの概略を示したブロック説明図である。
【図２】従来のカメラで縦姿勢撮影を行った場合の実施形態を示した説明図である。
【図３】従来のカメラで縦姿勢撮影を行った場合の実施形態を示した説明図である。
【図４】本発明のカメラで縦姿勢撮影を行った場合の実施形態を示した説明図である。
【図５】本発明のカメラで縦姿勢撮影を行った場合の実施形態を示した説明図である。
【図６】本発明のカメラの実施形態を示したフローチャートである。
【図７】本発明のカメラの姿勢検出装置を示した説明図である。
【図８】本発明のカメラの姿勢検出装置を示した説明図である。
【図９】本発明のカメラの姿勢検出装置を示した説明図である。
【符号の説明】
１０　　　撮影レンズ
１２　　　シャッター
１４　　　　ＣＣＤ
１６　　　　Ａ／Ｄ変換器
２０　　　画像処理回路
２４　　　画像表示用メモリ
２６　　　Ｄ／Ａ変換器
２８　　　画像表示部
３０　　　記憶装置媒体
１１０　　外部表示装置
２０１　　情報・警告表示手段
３００　　ビデオディスプレイ
【図１】
2004088317.tif 000003
【図２】
2004088317.tif 000004
【図３】
2004088317.tif 000005
【図４】
2004088317.tif 000006
【図５】
2004088317.tif 000007
【図６】
2004088317.tif 000008
【図７】
2004088317.tif 000009
【図８】
2004088317.tif 000010
【図９】
2004088317.tif 000011